(57)【要約】    【課題】釣人が容易に遠投することができる撒き餌を簡単且つ確実に成形する撒き餌成形具の提供。    【解決手段】この撒き餌成形具１０は、本体１１と案内板１２とを備える。本体１１及び案内板１２は、共に樹脂により構成される。本体１１及び案内板１２は、断面が略Ｃ字状に形成されており、案内板１２が本体１１の内部に嵌め込まれている。本体１１は基板１３を備え、案内板１２は基板１６を備える。両基板１３、１６は、本体１１の内部で対向されている。基板１６は、基板１３に対して傾斜しており、下方に向かって基板１３と基板１６との隙間が漸次小さくなっている。基板１６には切欠部１９が設けられている。切欠部１９は、略Ｕ字状に形成されている。【選択図】図１
2006000081.tif 000002
【特許請求の範囲】
【請求項１】
互いに漸次近接する一対の対向壁面を備えた撒き餌成形具。
【請求項２】
上記一対の対向壁面のうちいずれか一方は、平面である請求項１に記載の撒き餌成形具。
【請求項３】
上記一対の対向壁面のうちいずれか一方には、他方の対向壁面との間隔が広い側から狭い側へ延びる切欠部が設けられている請求項１又は２に記載の撒き餌成形具。
【請求項４】
上記一対の対向壁面は、弾性変形が可能である請求項１ないし３のいずれかに記載の撒き餌成形具。
【発明の詳細な説明】
【技術分野】
【０００１】
本発明は、撒き餌を所定形状に成形するための道具に関するものである。
【背景技術】
【０００２】
浮き釣りにおいては、一般に撒き餌が使用される。釣人は、撒き餌用のバケツ（一般に「バッカン」と称される。）に予め所要量の撒き餌を入れ、これを釣り場に持ち込む。釣人は、例えば撒き餌用の柄杓を使用して餌を撒くが、このとき、釣人は、撒き餌を柄杓のカップですくい取り、これを所望のポイントに投入する。釣り場の状況によっては、釣人は、撒き餌を遠投したい場合がある。その場合、釣人は、撒き餌をすくったカップをバッカンの内壁面に押し付けて撒き餌を当該カップ内で固める。このように撒き餌がカップ内で固められ、当該カップの形状に成形されると、釣人は、柄杓を操作して撒き餌を遠投することができる。
【０００３】
なお、撒き餌を固めて成形する道具に関する文献は、本願出願時点において出願人が知り得るものは存在しない。
【発明の開示】
【発明が解決しようとする課題】
【０００４】
前述のように、カップにすくわれた撒き餌は、当該カップがバッカンに押し付けられることによって成形されるが、カップをバッカンに押し付ける作業は、釣人にとって必ずしも容易なものではなく、ある程度の熟練を要する。しかも、撒き餌が確実に成形されていない場合には、投げられた撒き餌が空中で分解、拡散し、釣人が所望するポイントに撒き餌が投入されないおそれがある。
【０００５】
そこで、本発明の目的は、釣人が容易に遠投することができるように撒き餌を簡単且つ確実に成形する撒き餌成形具を提供することである。
【課題を解決するための手段】
【０００６】
(1) 上記目的が達成されるため、本発明に係る撒き餌成形具は、互いに漸次近接する一対の対向壁面を備えたことを特徴とするものである。撒き餌は、一般に撒き餌用の柄杓のカップにすくわれる。釣人がこのカップを一対の対向壁面の間に挿入することによって、上記カップは、上記一対の対向壁面によって挟み込まれる。これにより、一方の対向壁面がカップの開口部に相対的に押圧され、したがって、カップ内の撒き餌が押圧される。カップ内の撒き餌は、当該カップの形状に固められ、確実に成形される。
【０００７】
(2) 上記一対の対向壁面のうちいずれか一方は、平面であるのが好ましい。この構成では、当該一方の対向壁面は、上記カップの開口部を確実に閉塞するように当該カップに押圧される。したがって、上記カップ内の撒き餌は、均等に押圧され、当該カップの形状に確実に固められる。
【０００８】
(3) 上記一対の対向壁面のうちいずれか一方には、他方の対向壁面との間隔が広い側から狭い側へ延びる切欠部が設けられていてもよい。この切欠部が設けられることにより、上記カップは、上記一対の対向壁面の間に簡単に挿入される。
【０００９】
(4) 上記一対の対向壁面は、弾性変形が可能であることが望ましい。これにより、上記撒き餌は、所定の弾性力で押圧されることになり、上記カップの形状により確実に固められる。
【発明の効果】
【００１０】
本発明によれば、撒き餌は撒き餌用柄杓のカップ内で固められ、確実に成形される。これにより、釣人は、撒き餌を簡単に遠投することができる。
【発明を実施するための最良の形態】
【００１１】
以下、適宜図面が参照されつつ、好ましい実施形態に基づいて本発明が詳細に説明される。
【００１２】
＜第１の実施形態＞
図１は、本発明の第１の実施形態に係る撒き餌成形具の斜視図である。この撒き餌成形具１０は、後述されるように撒き餌用の柄杓のカップに収容された撒き餌を当該カップの形状に成形するための道具である。
【００１３】
撒き餌成形具１０は、本体１１と案内板１２とを備えている。これらは樹脂又は金属により構成され得るが、典型的にはポリプロピレン（ＰＰ）又はアクリロニトリルブタジエンスチレン共重合体（ＡＢＳ）からなる。
【００１４】
本体１１は、同図が示すように断面が略Ｃ形の棒状部材である。すなわち、本体１１は、基板１３と、基板１３に設けられた側板１４、１５とを備えている。側板１４、１５は、基板１３の両縁部に延設されており、各側板１４、１５は、基板１３に対して略直交している。本体１１の高さ寸法Ｈは、１５０ｍｍ〜３００ｍｍに設定される。本体１１の幅寸法Ｗは、３０ｍｍ〜６０ｍｍに設定される。本体１１の深さ寸法Ｄ１は、３０ｍｍ〜５０ｍｍに設定される。本体１１の肉厚寸法は、０．８ｍｍ〜３．０ｍｍに設定される。
【００１５】
案内板１２は、同図が示すように断面が略Ｃ形の棒状部材である。すなわち、案内板１２は、基板１６と、基板１６に設けられた側板１７、１８とを備えている。側板１７、１８は、基板１６の両縁部に延設されており、各側板１７、１８は、基板１６に対して略直交している。案内板１２の高さ寸法は、上記本体１１の高さ寸法に対応されている。案内板１２の幅寸法は、上記本体１１の側板１４と側板１５との間の距離に対応されている。案内板１２の深さ寸法Ｄ２は、１０ｍｍ〜３０ｍｍに設定される。案内板１２の肉厚寸法は、０．８ｍｍ〜３．０ｍｍに設定される。
【００１６】
同図が示すように、案内板１２は、本体１１の内側に嵌め込まれている。このとき、本体１１の側板１４、１５は、それぞれ、案内板１２の側板１７、１８と固着されている。両者は、例えば接着剤により固着される。案内板１２は、上記基板１６が本体１１の内部に突出するように配置されている。このため、本体１１の基板１３と案内板１２の基板１６とは互いに対向し、これらは、一対の対向壁面を構成する。
【００１７】
また、上記案内板１２の基板１６は、上記本体１１の基板１３に対して傾斜している。具体的には、上記案内板１２の深さ寸法Ｄ２は、同図が示すように上方に向かって漸次小さくなっており、これにより、当該基板１６が上記基板１３に対して相対的に傾斜している。この基板１６が傾斜されていることにより、当該基板１６と上記基板１３との距離は、上方から下方に向かって漸次小さくなっている。言い換えれば、上記一対の対向壁面を構成する基板１３と基板１６とは、下方に向かって漸次接近している。
【００１８】
さらに、上記基板１６の上方に切欠部１９が設けられている。この切欠部１９は、上記基板１６が切り欠かれることによって形成される溝によって構成されている。この切欠部１９は、同図が示すように略Ｕ字状に形成されており、切欠部１９の幅寸法は、下方に向かって漸次小さくなっている。もっとも、この切欠部１９の形状は略Ｕ字状に限定されるものではなく、他の形状であってもよい。
【００１９】
図２は、上記撒き餌成形具１０の横断面図であり、図３は、縦断面図である。これらの図は、当該撒き餌成形具１０がバッカン２０の内部に配置された状態を示している。これらの図が示すように、この撒き餌成形具１０は、上記本体１１の基板１３がバッカン２０の壁面２１に当接するように当該バッカン２０の隅部に配置される。このバッカン２０には、撒き餌が収容されているから、撒き餌成形具１０は、当該撒き餌の内部に突き刺された状態で配置される。また、図４は、図３のIV−矢視図である。
【００２０】
釣人は、撒き餌用の柄杓２２でバッカン２０内に収容された撒き餌をすくい取る。このとき、柄杓２２のカップ２３に撒き餌が詰め込まれる。釣人は、この撒き餌を遠投したいときは、図３が示すように、このカップ２３を上記撒き餌成形具１０の内部に押し込む。撒き餌成形具１０は、上記基板１３及び上記基板１６を備えているから、上記カップ２３３は、これら基板１３、１６によって構成される一対の対向壁面の間に挿入されることになる。
【００２１】
上記基板１６は、上記基板１３に漸次近接するように傾斜されているから、図３が示すように上記カップ２３が下方へ押し込まれることによって、このカップ２３が両基板１３、１６によって挟み込まれる。したがって、基板１３が上記カップ２３の開口部に相対的に押し付けられ、このカップ２３内の撒き餌は、当該カップ２３の形状に固められ、確実に成形される。釣人は、この状態で柄杓２２を撒き餌成形具１０から引き抜き、当該撒き餌を所望のポイントに投入することができる。
【００２２】
特に、上記基板１３の表面は平面に形成されているから、この基板１３は、上記カップ２３の開口部を確実に閉塞し、これにより、当該カップ２３内の撒き餌は、確実に且つ均等に押圧される。したがって、上記カップ内の撒き餌は、均等に押圧され、当該カップの形状に確実に固められるという利点がある。
【００２３】
さらに、上記基板１６に上記切欠部１９が設けられているから、釣人は、撒き餌を柄杓２２ですくった後に当該カップ２３を切欠部１９に挿通することによって、当該カップ２３を簡単に撒き餌成形具１０の内部に挿入することができる。詳述すれば、仮に上記切欠部１９が無い場合には、釣人は、撒き餌をすくったカップ２３を一旦上方へ持ち上げ、撒き餌成形具１０の上方から挿入する必要があるが、この場合に、カップ２３内の撒き餌がこぼれてしまうおそれがある。しかし、本実施形態では、上記切欠部１９が設けられているから、釣人は、柄杓２２を操作して上記カップ２３を横に移動させながら撒き餌成形具１０の内部に挿入することができるので、撒き餌がこぼれることはない。
【００２４】
本実施形態では、上記撒き餌成形具１０は、樹脂から構成されるので、上記基板１３及び上記基板１６は、弾性変形が可能である。これにより、上記カップ２３が両基板１３、１６間に押し込まれたときは、両基板１３、１６が弾性変形し、カップ２３内の撒き餌は、当該弾性力によって押圧される。したがって、カップ２３内の撒き餌は、当該カップ２３の形状に一層確実且つ均等に固められるという利点もある。
【００２５】
図５は、本実施形態の変形例に係る撒き餌成形具２５の斜視図である。この撒き餌成形具２５が上記撒き餌成形具１０と異なるところは、上記撒き餌成形具１０に設けられていた上記切欠部１９（図１参照）が省略されている点である。なお、撒き餌成形具２５のその他の構成については、上記撒き餌成形具１０と同様である。この撒き餌成形具２５は、上記切欠部１９が設けられていないので、撒き餌成形具２５の剛性が高い。したがって、釣人は、柄杓のカップを強く撒き餌成形具２５の内部に押し込むことができ、その結果、水分の少ない撒き餌であっても、確実に当該カップの形状に成形され得る。
【００２６】
図６は、本実施形態の他の変形例に係る撒き餌成形具３０の斜視図である。この撒き餌成形具３０が上記撒き餌成形具１０と異なるところは、上記撒き餌成形具１０では、上記基板１６に上記切欠部１９が設けられていたのに対し、この撒き餌成形具３０では、上記基板１３に上記切欠部１９が設けられている点である。なお、撒き餌成形具３０のその他の構成については、上記撒き餌成形具１０と同様である。この撒き餌成形具３０も上記撒き餌成形具１０と同様に、上記基板１３、１６を備えるから、上記撒き餌成形具１０と同様の作用効果を奏する。
【００２７】
＜第２の実施形態＞
次に、本発明の第２の実施形態について説明される。
図７は、本発明の第２の実施形態に係る撒き餌成形具の斜視図である。
【００２８】
本実施形態に係る撒き餌成形具４０が上記第１の実施形態に係る撒き餌成形具１０と異なるところは、上記撒き餌成形具１０では、本体１１と案内板１２とが別部材として構成され、これらが接合されていたのに対し（図１参照）、本実施形態に係る撒き餌成形具４０では、本体４１が樹脂により一体的に形成されている点、及び撒き餌成形具４０をバッカンに固定するための固定具４２が設けられている点である。
【００２９】
本体４１は、断面が矩形の筒状に形成されている。本体４１は、その上縁部にステー４３を備えている。上記固定具４２は、このステー４３に連結されるようになっている。この本体４１は、例えばポリプロピレン（ＰＰ）又はアクリロニトリルブタジエンスチレン共重合体（ＡＢＳ）からなる。本体４１の前面部５３と背面部５４とは対向配置されており、これらは、一対の対向壁面を構成する。
【００３０】
同図が示すように、前面部５３は、背面部５４に対して相対的に傾斜しており、前面部５３と背面部５４との距離は、上方から下方に向かって漸次小さくなっている。すなわち、上記一対の対向壁面を構成する前面部５３と背面部５４とは、下方に向かって漸次接近している。前面部５３には、切欠部１９が設けられている。この切欠部１９は、上記第１の実施形態に係る撒き餌成形具１０に設けられた切欠部１９と同様の構成である。
【００３１】
固定具４２は、上記ステー４３に連結される連結部４４と、バッカンに取り付けられる挟持部４５とを備えている。連結部４４及び挟持部４５は、例えばポリプロピレン（ＰＰ）又はアクリロニトリルブタジエンスチレン共重合体（ＡＢＳ）により一体的に形成されている。
【００３２】
連結部４５は、対向する２枚の連結板４６、４７を備えており、これら連結板４６、４７は、上記ステー４３の表側及び裏側に配置される。ステー４３と連結板４６、４７とは、例えばスナップ４８により着脱自在に連結されている。具体的には、ステー４３の表側にソケットが固定され、連結板４６にスタッドが固定されている。もっとも、ステー４３の裏側にもソケットが設けられ、連結板４７にもスタッドが固定されていてもよい。これらソケットとスタッドとが嵌め合わされることによって、連結部４４がステー４３に固定される。本実施形態では、ステー４３にソケットが３つ設けられている。各ソケットは、同図が示すように上下方向に並設されている。したがって、ステー４３に対する連結部４４の取付位置は、上下方向に調整され得る。なお、本実施形態では、上記ソケットが３つ設けられているが、さらに多数のソケットが設けられていてもよい。また、ステー４３側にスタッドが設けられ、連結板４６、４７側にソケットが設けられていてもよい。
【００３３】
挟持部４５は、細長平板が屈曲されることにより構成されており、対向する２枚の挟持板４９、５０を備えている。これら挟持板４９、５０は、後述のようにバッカンの側壁を挟み付ける。
【００３４】
図８は、撒き餌成形具４０の側面図であり、撒き餌成形具４０がバッカン２０に装着された状態が示されている。同図が示すように、この撒き餌形成具４０の本体４１は、固定具４２を介してバッカン２０の側壁に取り付けられる。具体的には、釣人が固定具４２の挟持部４５をバッカン２０の上縁５１に押しつけることによって、上記一対の挟持板４９、５０がバッカン２０の上縁部を挟持する。これにより、本体４１は、バッカン２０の壁面２１に沿って配置される。
【００３５】
バッカン２０の上縁５１は、挟持部４５の内奥部まで相対的に押し込まれる。これにより、バッカン２０の上縁５１は、挟持部４５によって確実に挟持固定される。また、本実施形態では、ステー４３に対する連結部４４の取付位置が上下方向に調整されるので、本体４１の下端がバッカン２０の内底面５２から釣人の所望する距離ｄだけ離される。この距離ｄは、同図が示すように、柄杓２２が本体４１に押し込まれたときに、柄杓２２の先端部のみが突出するように設定される。換言すれば、柄杓２２が本体４１に押し込まれ、カップ２３の先端がバッカン２０の内底面５２に当接した状態で、カップ２３の厚み寸法が最大値Ａとなる部位６８が、本体４１内に配置されるように上記距離ｄが設定されている。バッカンの深さ寸法は、当該バッカンの仕様によって異なるが、上記連結部４４の取付位置が調整されることによって、バッカンの仕様にかかわらず、本体４１の下端がバッカン２０の内底面５２から所定距離の位置に設定される。
【００３６】
本実施形態に係る撒き餌成形具４０は、上記第１の実施形態に係る撒き餌成形具１０と同様に、一対の対向壁面を構成する前面部４４及び背面部４５を備え、前面部４４に切欠部１９が設けられていることから、釣人は、撒き餌を確実に成形し、固めることができる。加えて、上記本体４１がバッカン２０に固定されることから、釣人は、撒き餌形成具４０を撒き餌用柄杓のホルダーとして使用することができる。
【００３７】
次に、本実施形態の変形例について説明される。図９は、本実施形態の変形例に係る撒き餌成形具の要部拡大斜視図である。
【００３８】
この撒き餌形成具６０が上記撒き餌形成具４０と異なるところは、本体４１及び固定具４２の形状である。具体的には、本体４１には、上記ステー４３（図７参照）が設けられていない点、及び固定具４２は、本体４１の背面部５４に固着されている点である。なお、その他の構成については、上記撒き餌形成具４０と同様である。
【００３９】
固定具４２は、上記本体４１の背面部５４に取り付けられる連結部６１と、バッカンに取り付けられる挟持部６２とを備えている。連結部６１及び挟持部５２は、例えばポリプロピレン（ＰＰ）又はアクリロニトリルブタジエンスチレン共重合体（ＡＢＳ）により一体的に形成されている。この固定具４２は、本体４１に接着剤等により固着されていてもよい。その場合、固定具４２が本体４１と一体的に形成されていてもよい。また、固定具４２と本体４１とが固定されず、後述のように、本体４１が固定具４２に対して上下方向にスライドすることができるように構成されていてもよい。
【００４０】
連結部６１は、一対の脚部６３を備えている。各脚部６３は、対向する２枚の連結板６４、６５を備えており、これら連結板６４、６５は、上記背面部５４の表側及び裏側に配置される。連結板６４は、細長帯状に形成されている。連結板６４の上端部は、連結板６５に固定されている。連結板６４は、連結板６５に沿って配置され、両者間に所定の隙間が形成されている。上記本体４１の背面部５４は、この隙間に挿通されている。本実施形態では、連結板６５は、上記連結部６１を構成する部材（挟持板６６）を兼ねている。また、挟持部６２は、平板が屈曲されることにより構成されており、対向する２枚の挟持板６６、６７を備えている。これら挟持板６６、６７は、上記実施形態に係る撒き餌形成具４０の挟持板４９、５０（図７参照）と同様にバッカンの側壁を挟み付ける。ただし、本変形例に係る挟持板６６、６７は、上記挟持板４９、５０よりも幅寸法が大きく設定されている。このため、挟持板６６、６７は、バッカンの側壁を強力に挟持し、本体４１をバッカンに確実に固定することができる。
【００４１】
本変形例に係る撒き餌形成具６０では、上記挟持板６６、６７がバッカンの側壁を挟持することによって、当該撒き餌形成具６０がバッカンに対して固定される。しかも、釣人がバッカンの側壁に対する上記挟持板６６、６７の位置を調整することによって、バッカンに対する本体４１の位置が無段階に調整される。したがって、本変形例においても、バッカンの仕様にかかわらず、本体４１の下端がバッカンの内底面から所定距離の位置に設定される。
【００４２】
加えて、上記連結板６４、６５と上記本体４１の背面部５４とが固着されない場合は、上記本体４１の背面部５４は、上記連結板６４、６５によって挟持される。この連結板６４、６５間の隙間が所定寸法に設定されることにより、上記本体４１は、上記脚部６３によって所定の保持力で保持される。すなわち、上記本体４１は、上記脚部６３に対して相対的にスライドすることが可能であり、バッカンに対する本体４１の位置が調整される。したがって、本実施形態では、上記挟持部６２及び上記脚部６３の双方によって、バッカンに対する本体４１の位置が調整される。
【００４３】
なお、本実施形態に係る固定具４２が、上記第１の実施形態に係る撒き餌成形具１０にも同様の要領で設けられていてもよい。
【産業上の利用可能性】
【００４４】
本発明は、撒き餌を成形する撒き餌成形具に適用され得る。
【図面の簡単な説明】
【００４５】
【図１】図１は、本発明の一実施形態に係る撒き餌成形具の斜視図である。
【図２】図２は、本発明の一実施形態に係る撒き餌成形具の横断面図である。
【図３】図３は、本発明の一実施形態に係る撒き餌成形具の縦断面図である。
【図４】図４は、図３におけるIV−矢視図である。
【図５】図５は、本発明の一実施形態の変形例に係る撒き餌成形具の斜視図である。
【図６】図６は、本発明の一実施形態の他の変形例に係る撒き餌成形具の斜視図である。
【図７】図７は、本発明の第２の実施形態に係る撒き餌成形具の斜視図である。
【図８】図８は、本発明の第２の実施形態に係る撒き餌成形具の側面図である。
【図９】図９は、本実施形態の変形例に係る撒き餌成形具の要部拡大斜視図である。
【符号の説明】
【００４６】
１０・・・撒き餌成形具
１１・・・本体
１２・・・案内板
１３・・・基板
１６・・・基板
１９・・・切欠部
２２・・・柄杓
２３・・・カップ
２５・・・撒き餌成形具
３０・・・撒き餌成形具
４０・・・撒き餌形成具
５３・・・前面部
５４・・・背面部
６０・・・撒き餌形成具
【図１】
2006000081.tif 000003
【図２】
2006000081.tif 000004
【図３】
2006000081.tif 000005
【図４】
2006000081.tif 000006
【図５】
2006000081.tif 000007
【図６】
2006000081.tif 000008
【図７】
2006000081.tif 000009
【図８】
2006000081.tif 000010
【図９】
2006000081.tif 000011